(57)【要約】【課題】装着者の肩に負担をかけずに、乳幼児の身体を安定して保持することができる子守帯を提供する。【解決手段】乳幼児の身体を支持する支持本体部１１と、支持本体部１１に固定端部側で取り付けられる一対の肩帯１２と、肩帯１２の自由端部側にそれぞれ設けられる一対の第一結合部１３と、第一結合部１３と着脱可能であり、支持本体部１１に設けられる一対の第二結合部１４と、を備えた子守帯１であって、肩帯１２は、装着者の身体に巻回され、固定端部の短手方向における幅よりも、長手方向中央部の短手方向における幅が広く、装着者の肩を包む幅広の布であり、子守帯１は、支持本体部１１と別に設けられ、乳幼児の下腹部又は臀部を保持する保持部１６を有する。【選択図】図１
0003235488.tif 000002
【実用新案登録請求の範囲】
【請求項１】
乳幼児の身体を支持する支持本体部と、前記支持本体部に固定端部側で取り付けられる一対の肩帯と、前記肩帯の自由端部側にそれぞれ設けられる一対の第一結合部と、前記第一結合部と着脱可能であり、前記支持本体部に設けられる一対の第二結合部と、を備えた子守帯であって、
前記肩帯は、装着者の身体に巻回され、固定端部の短手方向における幅よりも、長手方向中央部の短手方向における幅が広く、前記装着者の肩を包む幅広の布であり、
前記子守帯は、前記支持本体部と別に設けられ、前記乳幼児の下腹部又は臀部を保持する保持部を有することを特徴とする子守帯。
【請求項２】
前記保持部は、前記支持本体部に設けられるパンツ部であり、
前記パンツ部は、前記乳幼児の左右の脚をそれぞれ配置するための一対の開口部を有することを特徴とする請求項１に記載の子守帯。
【請求項３】
前記子守帯は、前記装着者の身体に巻き付けて前記乳幼児を保持する補助紐を更に有し、
前記補助紐は、前記装着者の身体に巻き付けた際、前記乳幼児の臀部に対応する位置にタックが形成されることを特徴とする請求項１又は２に記載の子守帯。
【請求項４】
前記子守帯は、前記装着者の身体に巻き付けて前記乳幼児を保持する補助紐を更に有し、
前記保持部は、前記補助紐によって前記装着者の腰部に固定される保持部材であり、
前記保持部材は、前記乳幼児の臀部を載置可能な座部と、前記座部から延設し、前記装着者の身体に沿って配置可能なベース部と、を有することを特徴とする請求項１に記載の子守帯。
【請求項５】
前記補助紐は、前記保持部材を収納可能な収納部を有し、
前記保持部材は、前記収納部に収納された状態で、装着者の腰部に固定可能であることを特徴とする請求項４に記載の子守帯。
【請求項６】
前記保持部材は、前記座部及び前記ベース部を覆うカバー部材を有し、
前記カバー部材はクッション性を有することを特徴とする請求項４又は５に記載の子守帯。
【請求項７】
前記第一結合部又は前記第二結合部は、前記肩帯から前記第一結合部及び前記第二結合部を介した前記支持本体部までの長さを調整可能な長さ調整部を有することを特徴とする請求項１乃至６のいずれか一項に記載の子守帯。
【請求項８】
前記支持本体部はメッシュ生地を含むことを特徴とする請求項１乃至７のいずれか一項に記載の子守帯。
【考案の詳細な説明】
【技術分野】
【０００１】
本考案は、子守帯に係り、特に、新生児から幼児にいたる比較的長い期間にわたって抱っこやおんぶなどの様々な態様で安全に使用できる子守帯に関する。
【背景技術】
【０００２】
近年、生後間もない乳児期から抱っこしたいという要望がある。しかしながら、未だ首がすわらず身体のしっかりしていない乳児を抱っこするには、やや成長した幼児よりも更に安定した身体保持が必要である。
【０００３】
例えば、特許文献１には、装着者の身体に巻回される帯と、乳幼児の身体を包容する支持本体部とを備えた抱っこ具が開示されている。抱っこ具の帯は、雄バックルと雌バックルとを嵌合させることで、肩ベルトや腰ベルトとして用いられる。
【０００４】
そして、特許文献１の抱っこ具では、バックルの嵌合の組み合わせをいずれか選択することで、乳幼児を抱っこする形態を一方の肩に帯を掛けるワンショルダータイプをして使用する場合と、両方の肩に帯を掛けるツーショルダータイプとして使用する場合とに切り替えることができる。
【先行技術文献】
【特許文献】
【０００５】
【特許文献１】特開２００３−１０２５９８公報
【考案の概要】
【考案が解決しようとする課題】
【０００６】
一般的に、乳幼児をおんぶ又は抱っこが可能な子守帯を装着した際、乳幼児の体重により、垂直方向に荷重が加えられて、装着者の肩に荷重が集中してしまい、装着者の負担となるおそれがある。特に、特許文献１の抱っこ具のように、肩に掛ける帯の幅が狭い場合、装着者の肩に食い込んでしまうため、長時間使用時に装着者が痛みを感じるおそれがある。
また、特許文献１の抱っこ具では、装着者がおんぶ又は抱っこをする際に、乳幼児の臀部を支持本体部のみで支持するため、装着時又は装着中に乳幼児の身体を安定して保持できないおそれがある。
【０００７】
本考案は、上記の課題に鑑みてなされたものであり、装着者の肩に負担をかけずに、乳幼児の身体を安定して保持することができる子守帯を提供することにある。
【課題を解決するための手段】
【０００８】
前記課題は、本考案の子守帯によれば、乳幼児の身体を支持する支持本体部と、前記支持本体部に固定端部側で取り付けられる一対の肩帯と、前記肩帯の自由端部側にそれぞれ設けられる一対の第一結合部と、前記第一結合部と着脱可能であり、前記支持本体部に設けられる一対の第二結合部と、を備えた子守帯であって、前記肩帯は、装着者の身体に巻回され、固定端部の短手方向における幅よりも、長手方向中央部の短手方向における幅が広く、前記装着者の肩を包む幅広の布であり、前記子守帯は、前記支持本体部と別に設けられ、前記乳幼児の下腹部又は臀部を保持する保持部を有すること、により解決される。
【０００９】
上記の構成により、肩に掛ける帯の幅が広いため、背中や肩全体に荷重が分散されるので、装着者の肩の痛みや負担が軽減できる。また、乳幼児を支持本体部と保持部とで保持することにより、乳幼児の身体を安定して保持させた状態で、安全に子守帯を使用することができる。
【００１０】
また、本考案の子守帯について好適な構成を述べると、前記保持部は、前記支持本体部に設けられるパンツ部であり、前記パンツ部は、前記乳幼児の左右の脚をそれぞれ配置するための一対の開口部を有するとよい。
上記の構成により、乳幼児の下腹部又は臀部を、支持本体部とパンツ部とで保持することにより、乳幼児の身体を安定して保持させた状態で、安全に子守帯を使用することができる。
【００１１】
また、本考案の子守帯について好適な構成を述べると、前記子守帯は、前記装着者の身体に巻き付けて前記乳幼児を保持する補助紐を更に有し、前記補助紐は、前記装着者の身体に巻き付けた際、前記乳幼児の臀部に対応する位置にタックが形成されるとよい。
上記の構成により、補助紐で乳幼児を固定した際、タックが乳幼児の臀部に沿って広がることで、臀部を全体的に覆うことを可能にし、乳幼児の保持を確実とすることができる。
【００１２】
また、本考案の子守帯について好適な構成を述べると、前記子守帯は、前記装着者の身体に巻き付けて前記乳幼児を保持する補助紐を更に有し、前記保持部は、前記補助紐によって前記装着者の腰部に固定される保持部材であり、前記保持部材は、前記乳幼児の臀部を載置可能な座部と、前記座部から延設し、前記装着者の身体に沿って配置可能なベース部と、を有するとよい。
上記の構成により、乳幼児の下腹部又は臀部を、支持本体部と保持部材とで保持することにより、乳幼児の身体を安定して保持させた状態で、安全に子守帯を使用することができる。
【００１３】
また、本考案の子守帯について好適な構成を述べると、前記補助紐は、前記保持部材を収納可能な収納部を有し、前記保持部材は、前記収納部に収納された状態で、装着者の腰部に固定可能であるとよい。
上記の構成により、装着者は、収納部に保持部材を収納して、腰部に補助紐を巻き付けるだけで、容易に保持部材を装着者の腰部に固定することができる。
【００１４】
また、本考案の子守帯について好適な構成を述べると、前記子守帯は、前記座部及び前記ベース部を覆うカバー部材を有し、前記カバー部材はクッション性を有するとよい。
上記の構成により、座部の剛性を確保するために座部の材料を固くしても、クッション性を有するカバー部材で座部を覆うことで、乳幼児の着座感を損なわずに、乳幼児を安定して保持することができる。また、乳幼児が着座する座部だけではなく、装着者の腰部に当接するベース部まで覆うことで、装着者の腰部の痛みや負担を軽減することができる。
【００１５】
また、本考案の子守帯について好適な構成を述べると、前記第一結合部又は前記第二結合部は、前記肩帯から前記第一結合部及び前記第二結合部を介した前記支持本体部までの長さを調整可能な長さ調整部を有するとよい。
上記の構成により、乳幼児が成長しても子守帯のサイズを調整することができ、長期間使用することができる。また装着者の体形に合わせて子守帯のサイズを調整することができる。
【００１６】
また、本考案の子守帯について好適な構成を述べると、前記支持本体部はメッシュ生地を含むとよい。
上記の構成により、メッシュ生地を含むので、通気性に優れ、乳幼児が汗をかくことを抑制することができる。
【考案の効果】
【００１７】
本考案によれば、装着者の肩に負担をかけずに、乳幼児の身体を安定して保持することができる子守帯を提供することができる。
また、補助紐で乳幼児を固定した際、タックが乳幼児の臀部に沿って広がることで、臀部を全体的に覆うことを可能にし、乳幼児の保持を確実とすることができる。
また、装着者は、収納部に保持部材を収納して、腰部に補助紐を巻き付けるだけで、容易に保持部材を装着者の腰部に固定することができる。
また、座部の剛性を確保するために座部の材料を固くしても、クッション性を有するカバー部材で座部を覆うことで、乳幼児の着座感を損なわずに、乳幼児を安定して保持することができる。また、乳幼児が着座する座部だけではなく、装着者の腰部に当接するベース部まで覆うことで、装着者の腰部の痛みや負担を軽減することができる。
また、乳幼児が成長しても子守帯のサイズを調整することができ、長期間使用することができる。また装着者の体形に合わせて子守帯のサイズを調整することができる。
また、メッシュ生地を含むので、通気性に優れ、乳幼児が汗をかくことを抑制することができる。
【図面の簡単な説明】
【００１８】
【図１】本実施形態の子守帯本体の正面図である。
【図２】子守帯本体の背面図である。
【図３】子守帯の補助紐の背面図である。
【図４Ａ】子守帯の補助紐のタック部を折り畳んだ状態の一部を示す図である。
【図４Ｂ】子守帯の補助紐のタック部を広げた状態の一部を示す図である。
【図５】子守帯の保持部材の斜視図である。
【図６】子守帯のカバー部材の斜視図である。
【図７】子守帯の第一実施形態であり、乳幼児をパンツ部で保持した使用状態を示す図である。
【図８】子守帯の第一実施形態であり、抱っこ姿勢での使用状態を示す図である。
【図９】子守帯の第一実施形態であり、おんぶ姿勢での使用状態を示す図である。
【図１０】子守帯の第二実施形態であり、保持部材を補助紐に収納した状態で装着者の腰部に固定した使用状態を示す図である。
【図１１】子守帯の第二使用状態であり、乳幼児を保持部材で保持した状態を示す図である。
【考案を実施するための形態】
【００１９】
以下、本考案の実施形態に係る子守帯１について図１〜図１１を用いて説明する。本実施形態の子守帯１は、図１〜図６に示すように、子守帯本体１０と、補助紐２０と、保持部材３０から構成される。子守帯１は、図７〜図１１に示すように、子守帯１の装着者５０が乳幼児４０を抱っこ又はおんぶする際に、乳幼児４０を安定して保持できるようにする。
【００２０】
図１及び図２は、本実施形態の子守帯本体１０の正面図と背面図である。子守帯本体１０は、乳幼児４０の身体を支持する支持本体部１１と、支持本体部１１に設けられる一対の肩帯１２と、肩帯１２の自由端部側にそれぞれ設けられる一対の第一結合部１３と、第一結合部１３と着脱可能であり、支持本体部１１に設けられる一対の第二結合部１４と、第二結合部１４に設けられる長さ調整部１５と、支持本体部１１に設けられるパンツ部１６（保持部）と、を備える。
【００２１】
支持本体部１１は、図１に示すように、装着時における上方端部と下方端部との中間部分よりも腰幅方向に延出した第一延出部１１ａ及び第二延出部１１ｂが形成されている。なお、本実施形態では、支持本体部１１は、後述する第二結合部１４と、それぞれ第一延出部１１ａ及び第二延出部１１ｂを介して連結されるが、支持本体部１１は、下方端部が腰幅方向に延出しない形状としても良い。この場合、第二結合部１４は、支持本体部１１の下方端部の腰幅方向における側端部に直接連結される。
支持本体部１１の上方端部は、乳幼児４０の背中又は胸部を支持し、下方端部は、乳幼児４０の下腹部又は臀部を支持する。これにより、装着者５０は、乳幼児４０を対面及び前向きで抱っこ、又はおんぶすることができ、乳幼児４０を安定して支持することができる。なお、装着者５０は、支持本体部１１を装着者５０の背中側に配置して子守帯本体１０を装着し、乳幼児４０を後述する肩帯１２で支持することもできる（図８参照）。
【００２２】
図１、図２に示すように、支持本体部１１は、例えば、内側をメッシュ生地、外側を薄手の布地又は撥水性に優れた布地として、それぞれの生地を合わせて縫製することにより形成される。具体的には、メッシュ生地を通気性に優れた３Dメッシュ又はダブルラッセル生地とすると、汗をかかずに衛生的であり、且つクッション性を確保することができる。また、支持本体部１１は布地で構成されているため、折り畳み可能となっている。
【００２３】
肩帯１２は、帯状で柔軟な布地からなり、長手方向の一端部が支持本体部１１に縫着して固定される固定端部となり、他端部が自由端部となる。肩帯１２は、固定端部の短手方向における幅よりも、長手方向中央部の短手方向における幅が広く、装着者５０の肩を包む幅広の布で構成される。肩帯１２は、一対の第一肩帯１２ａ及び第二肩帯１２ｂと、一対の第一肩帯端部１２ｃ及び第二肩帯端部１２ｄとで構成される。図１に示すように、第一肩帯１２ａは、支持本体部１１側の端部が、支持本体部１１の上方端部である第一縁部１１ｃに縫着され、第二肩帯１２ｂは、支持本体部１１側の端部が、支持本体部１１の上方端部である第二縁部１１ｄに縫着される。
第一肩帯端部１２ｃは、第一肩帯１２ａの自由端部側に延設され、第二肩帯端部１２ｄは、第二肩帯１２ｂの自由端部側に延設される。第一肩帯端部１２ｃは、第一雌バックル１３ａと第一肩帯１２ａとを接続し、第二肩帯端部１２ｄは、第二雌バックル１３ｂと第二肩帯１２ｂとを接続する。肩帯１２は、装着者５０の身体に巻回され、後述する第一結合部１３と第二結合部１４を連結し、肩全体を包むように肩帯１２の布を広げた状態で使用される。
【００２４】
第一結合部１３は、第二結合部１４と着脱可能な一対の雌雄のバックルからなる雌型連結具であり、第一雌バックル１３ａ及び第二雌バックル１３ｂで構成される。第一雌バックル１３ａは、第一肩帯端部１２ｃに設けられ、第二雌バックル１３ｂは、第二肩帯端部１２ｄに設けられる。第一雌バックル１３ａは、第二雄バックル１４ｂと連結され、第二雌バックル１３ｂは、第一雄バックル１４ａと連結される。肩帯１２は装着者５０の身体で交差するように巻回されることで、乳幼児４０を装着者５０に密着させて、安定して抱っこ又はおんぶ姿勢をとることができる（図１１参照）。
【００２５】
第二結合部１４は、第一結合部１３と着脱可能な一対の雌雄のバックルからなる雄型連結具であり、第一雄バックル１４ａ及び第二雄バックル１４ｂと、長さ調整部１５とから構成される。第一雄バックル１４ａは、支持本体部１１の下端から延出した第一延出部１１ａに設けられ、第二雄バックル１４ｂは、支持本体部１１の下端から延出した第二延出部１１ｂ設けられる。第一雄バックル１４ａは、第二雌バックル１３ｂと連結され、第二雄バックル１４ｂは、第一雌バックル１３ａと連結される。
なお、本実施形態では、第一結合部１３が雌型であり、第二結合部１４が雄型であるが、第一結合部１３を雄型として、第二結合部１４を雌型としても良い。また、第一結合部１３と第二結合部１４は、一対のバックルから構成されているが、例えばワンタッチ式や回転式バックルが用いられるほか、ナスカンやカラビナ等の連結具も使用可能であり、いずれを選択しても良い。通常、簡単に連結可能であり、安全性の高いものが使用される。バックルは、その係合操作が容易であり、一度連結したら容易に外れることもなく、機械的強度も高い。
【００２６】
長さ調整部１５は、第二結合部１４に一体的に設けられる、アジャスター付きバックルである。長さ調整部１５は、肩帯１２から第一結合部１３及び第二結合部１４を介した支持本体部１１までの長さを調整可能なように、一方又は両方に所定長の調節ベルトを配設している。長さ調整部１５を設けることによって、子守帯本体１０を装着者５０の身体の大きさに合わせることができる。長さ調整部１５は、ベルトの長さを調節できるものであれば、第二結合部１４と一体となったものでも良く、独立したアジャスターでも良い。なお、本実施形態では、長さ調整部１５は第二結合部１４に設けられるが、第一結合部１３に設けられていても良く、第一結合部１３及び第二結合部１４の両方に設けられていても良い。
【００２７】
パンツ部１６は、図１に示すように、支持本体部１１の内面に設けられ、装着時における上方が幅広で、下方が幅狭な略Ｙ字状に形成されている。パンツ部１６は、乳幼児４０の左右の脚をそれぞれ挿通して配置するための第一開口部１６ａ及び第二開口部１６ｂと、乳幼児４０の胴部を挿通する上開口部１６ｃが形成されている（図７参照）。パンツ部１６の腰幅方向端部は、第一開口部１６ａ及び第二開口部１６ｂを除いて支持本体部１１の側縁に沿って縫着され、パンツ部１６の下縁は、支持本体部１１の下縁に沿って縫着される。このように、支持本体部１１にパンツ部１６を設けて乳幼児４０の下腹部又は臀部を保持することにより、乳幼児４０の安定性が向上する。
なお、本実施形態では、パンツ部１６の腰幅方向端部を縫着し、上開口部１６ｃにゴム等を設けることにより、乳幼児４０を安定保持する構成としているが、パンツ部１６は、縫着せずにバックルやボタンにより着脱可能としても良い。
【００２８】
また、本実施形態では、パンツ部１６を構成する布地と支持本体部１１の布地が一体となって、乳幼児４０を保持する構成としているが、パンツ部１６を支持本体部１１と独立して構成し、支持本体部１１と着脱可能に構成しても良い。このように、パンツ部１６を独立させて取り換え可能とすることで、衛生的に使用することができる。また、パンツ部１６は、布製でも、剛性のある樹脂製でも良い。
【００２９】
図３は、本実施形態の補助紐２０の正面図である。図４Ａは、補助紐２０のタック部２２を折り畳んだ状態の一部を示す図であり、図４Ｂは、補助紐２０のタック部２２を広げた状態の一部を示す図である。補助紐２０は、装着者５０の身体に巻き付けて乳幼児４０を固定するものであり、装着者５０の身体に巻き付ける補助紐本体部２１と、乳幼児４０の臀部に沿って伸長するタック部２２と、補助紐２０を固定する固定部２３と、保持部材３０を収納可能な収納部２４と、を備える。
【００３０】
図３に示すように、補助紐本体部２１は、両端部各々から延長される第一固定部２３ａ及び第二固定部２３ｂを有している。装着者５０は、補助紐本体部２１を自身の身体に巻き付けて、固定部２３を互いに結合させることで、補助紐２０を身体に巻き付けることができる。
タック部２２は、補助紐２０の長手方向中央部に設けられ、装着者５０が補助紐２０を身体に巻き付けたときに、乳幼児４０の臀部に対応する位置に設けられる。図４Ａは、補助紐２０を長手方向中心で半分に折り曲げて、折り畳んだ状態を表す図であり、図４Ｂは、補助紐本体部２１を長手方向中心で半分に折り曲げて、拡張した状態を表す図である。図４に示すように、タック部２２は、補助紐本体部２１における短手方向の両端部を、乳幼児４０の臀部に沿って伸長させるように形成される。タック部２２によって、補助紐２０の短手方向が立体的となり、乳幼児４０の臀部や背中により良くフィットして、安定性が向上する。なお、タックの数や位置は限定されず、ギャザーやプリーツであっても良い。
【００３１】
収納部２４は、図３に示すように、補助紐２０に設けられ、ポケット状に形成される収納開口部２４ａと、収納開口部２４ａを広げるための収納紐２４ｂとで構成される。収納部２４は、収納開口部２４ａは、補助紐本体部２１の短手方向の一端部が開口するポケット状に形成される。収納紐２４ｂは、収納開口部２４ａの縁部に縫着され、例えばゴム紐で構成される。収納部２４は、後述する保持部材３０を収納開口部２４ａに収納可能である。
装着者５０は、保持部材３０を収納部２４に収納した状態で、身体に補助紐２０を巻き付けて固定部２３を互いに結合させることで、装着者５０の腰部に保持部材３０を固定することができる（図１０参照）。なお、本実施形態では、収納部２４に保持部材３０を収納しているが、これに限らず、保持部材３０以外の物を収納しても良い。
【００３２】
図５は、保持部材３０の斜視図である。保持部材３０は、乳幼児４０の臀部を載置可能な座部３１と、装着者５０の身体に沿って配置可能なベース部３２と、保持部材３０を補強する補強リブ３３と、座部３１及びベース部３２を覆うカバー部材３４と、から構成される。保持部材３０は、全体が略Ｌ字状に形成され、乳幼児４０の体重が負荷された際、大きな変形を生じない程度の強度を有する硬質材料により形成されている。本実施形態では、軽量且つ剛性を有する素材として、プラスチック材で形成されているが、他の素材でも良く、例えばアルミニウムやゴム等でも良い。
座部３１は、乳幼児４０の臀部を載置可能な程度の大きさの板状部材で形成され、半楕円形状に形成される。なお、座面の形状については限定されることなく、例えば、乳幼児４０が着座しやすいように、座面を乳幼児４０の臀部に沿った凹形状としても良い。
座部３１は、板状部材を貫通するように、複数の座面孔部３１ａが形成されている。また、座部３１は、座面の裏側であって、座面から鉛直方向下側へ向かって立設する複数の補強リブ３３が形成される。補強リブ３３は、座面孔部３１ａの周囲に設けられる。座部３１は、座面孔部３１ａの周囲に補強リブ３３を設けることで、剛性を保ちつつ軽量とすることができる。
【００３３】
図５に示すように、ベース部３２は、座部３１の一端部である座面端部３１ｂから、略垂直に交差する方向に延設した板状部材で形成され、装着時に装着者５０の身体に沿って当接配置可能なように、なだらかな曲面で構成される。ベース部３２は、板状部材を貫通するように、複数のベース孔部３２ａが形成されている。また、ベース部３２は、装着者５０の身体に当接する面の裏側であって、当接する面から装着時における前方へ向かって立設する複数の補強リブ３３が形成される。補強リブ３３は、ベース孔部３２ａの周囲に設けられる。ベース部３２は、ベース孔部３２ａの周囲に補強リブ３３を設けることで、剛性を保ちつつ軽量とすることができる。なお、座面孔部３１ａやベース孔部３２ａ、補強リブ３３の形状や位置、数はこれに限らず、例えば補強リブ３３は、座面孔部３１ａの周囲だけではなく、座部３１の周縁部全体に設けられていても良い。
また、本実施形態では、保持部材３０は座部３１とベース部３２が一体成形されているが、座部３１とベース部３２を別体として例えばヒンジ構造により接続されていても良い。ヒンジ構造とすることで、折り畳み可能となり、持ち運びが容易になる。
【００３４】
図６は、カバー部材３４の斜視図である。カバー部材３４は、保持部材３０の形状に略一致する半楕円形袋形状とされ、開口部分にゴムを設けている。カバー部材３４は、クッション性を付加するために、例えばダンボールニットのような多層構造の生地で形成される。ダンボールニットは、中空構造のため軽量であり、保温性とストレッチ性にも優れる。なお、カバー生地を二重構造とし、内側に軟質発泡樹脂製の十分な厚みを確保した素材を充填してクッション性を付加しても良い。カバー部材３４は、開口部分から保持部材３０に被せることで、座部３１及びベース部３２の全体を覆うように取り付けることができる。また、カバー部材３４は、クッション性を有する素材でベース部３２を覆うことで、長時間使用による痛みを軽減することができる。また、カバー部材３４は、クッション性を有する素材で座部３１を覆うことで、乳幼児４０の着座感を向上させることができる。
【００３５】
図７は、保持部としてパンツ部１６を設けた子守帯１の第一実施形態であり、乳幼児４０をパンツ部１６で保持した使用状態を示す図である。装着者５０は、上開口部１６ｃから乳幼児４０をパンツ部１６に挿入し、乳幼児４０の左右の脚をそれぞれ第一開口部１６ａ及び第二開口部１６ｂに挿通して配置する。
【００３６】
図８は、第一実施形態における、抱っこ姿勢での使用状態を示す図である。装着者５０は、支持本体部１１が装着者５０の背中側に配置されるように子守帯本体１０を装着し、乳幼児４０と装着者５０が対面するように抱っこ姿勢をとる。その後、装着者５０は、補助紐２０を身体に巻き付け、タック部２２を乳幼児４０の臀部位置に合わせて広げ、固定部２３で固定する。このように、装着者５０は乳幼児４０を密着させた状態で抱っこ可能であるため、装着者５０は乳幼児４０を安定して保持することができる。また、装着者５０は、肩帯１２を胸側でクロスさせ、肩帯１２を肩で広げて抱っこすることで、長時間使用時の肩の痛みを軽減できる。
【００３７】
図９は、第一実施形態における、おんぶ姿勢での使用状態を示す図である。図７に示すように、装着者５０は、乳幼児４０を子守帯本体１０のパンツ部１６で保持させ、乳幼児４０を装着者５０の背中で背負うように、おんぶ姿勢をとり、子守帯本体１０を装着する。このように、パンツ部１６で保持させた状態でおんぶ可能であるため、乳幼児４０を安定して保持することができる。また、装着者５０は、肩帯１２を胸側でクロスさせ、肩帯１２を肩で広げておんぶすることで、長時間使用時の肩の痛みを軽減できる。なお、図示はしないが、装着者５０は、子守帯本体１０を装着しておんぶした後、補助紐２０を身体に巻き付け、タック部２２を乳幼児４０の臀部位置に合わせて広げ、固定部２３で固定して、乳幼児４０を保持してもよい。
【００３８】
図１０は、保持部として保持部材３０を設けた子守帯１の第二実施形態であり、保持部材３０を装着者５０の腰部に固定した状態を示す図である。装着者５０は、保持部材３０をカバー部材３４で覆い、収納部２４に収納する。その後、装着者５０は保持部材３０を収納した状態で、保持部材３０のベース部３２を身体に当接させるように、補助紐２０を巻き付けて、固定部２３により装着者５０の腰部に保持部材３０を固定する。
【００３９】
図１１は、第二実施形態における、抱っこ姿勢での使用状態を示す図である。装着者５０は、腰部に保持部材３０を固定した状態で、乳幼児４０を座部３１に座らせ、乳幼児４０と装着者５０が対面するように抱っこ姿勢をとり、支持本体部１１が乳幼児４０の背中側に配置されるように子守帯本体１０を装着する。このように、保持部材３０で保持させた状態で抱っこ可能であるため、装着者５０は、乳幼児４０を安定して保持することができる。また、装着者５０は、肩帯１２を背中側でクロスさせ、肩帯１２を肩で広げて抱っこをすることで、長時間使用時の肩の痛みを軽減できる。なお、本実施形態では、保持部材３０を補助紐２０の収納部２４で収納して装着者５０の腰部に固定する構成としているが、収納部２４を設けずに、補助紐２０で包み込んだ状態で腰部に巻き付けて固定しても良い。また、保持部材３０と補助紐２０を一体的に形成しても良い。また、補助紐２０以外の部材で固定するようにしても良い。
【００４０】
以上、図を用いて本実施形態の子守帯１について説明した。なお、上記の実施形態は、本考案の理解に容易にするための一例に過ぎず、本考案を限定するものではない。本考案は、その趣旨を逸脱することなく、変更、改良されうると共に、本考案にはその等価物が含まれることは勿論である。
【符号の説明】
【００４１】
１  子守帯
１０  子守帯本体
１１  支持本体部
１１ａ  第一延出部
１１ｂ  第二延出部
１１ｃ  第一縁部
１１ｄ  第二縁部
１２  肩帯
１２ａ  第一肩帯
１２ｂ  第二肩帯
１２ｃ  第一肩帯端部
１２ｄ  第二肩帯端部
１３  第一結合部
１３ａ  第一雌バックル
１３ｂ  第二雌バックル
１４  第二結合部
１４ａ  第一雄バックル
１４ｂ  第二雄バックル
１５  長さ調整部
１６  パンツ部（保持部）
１６ａ  第一開口部
１６ｂ  第二開口部
１６ｃ  上開口部
２０  補助紐
２１  補助紐本体部
２２  タック部
２３  固定部
２３ａ  第一固定部
２３ｂ  第二固定部
２４  収納部
２４ａ  収納開口部
２４ｂ  収納紐
３０  保持部材（保持部）
３１  座部
３１ａ  座面孔部
３１ｂ  座面端部
３２  ベース部
３２ａ  ベース孔部
３３  補強リブ
３４  カバー部材
４０  乳幼児
５０  装着者
【図１】
0003235488.tif 000003
【図２】
0003235488.tif 000004
【図３】
0003235488.tif 000005
【図４Ａ】
0003235488.tif 000006
【図４Ｂ】
0003235488.tif 000007
【図５】
0003235488.tif 000008
【図６】
0003235488.tif 000009
【図７】
0003235488.tif 000010
【図８】
0003235488.tif 000011
【図９】
0003235488.tif 000012
【図１０】
0003235488.tif 000013
【図１１】
0003235488.tif 000014